(57)【要約】【課題】扱室の上方を覆う上部枠体の開放操作を補助するガススプリングを、扱室後方の狭いスペースを利用して効率的に配置する。【解決手段】扱室２の上方を覆う上部枠体３１が、扱室２後方の排藁搬送装置４と一体に開閉すると共に、両者３１，４の開放操作を補助する複数のガススプリング４２を備える脱穀装置１において、前記複数のガススプリング４２のうち、少なくとも２本のガススプリング４２を扱室２の後部側に近接位置で前後に併設すると共に、扱室２の前部側に１本のガススプリング４２を配置した。【選択図】図１
2008131906.tif 000002
【特許請求の範囲】
【請求項１】
扱室（２）の上方を覆う上部枠体（３１）の開放操作を補助するガススプリング（４２）を備えたコンバインの脱穀装置において、少なくとも２本のガススプリング（４２）を近接位置で前後に併設したことを特徴とするコンバインの脱穀装置。
【請求項２】
前記２本のガススプリング（４２）を扱室（２）の後部側に併設し、且つ扱室（２）の前部側に１本のガススプリング（４２）を配置すると共に、扱室（２）後方の排藁搬送装置（４）が上部枠体（３１）と一体に開閉する請求項１に記載のコンバインの脱穀装置。
【発明の詳細な説明】
【技術分野】
【０００１】
本発明は、扱室の上方を覆う上部枠体の開放操作を補助するガススプリングを備えるコンバインの脱穀装置に関する。
【背景技術】
【０００２】
従来のコンバインにおいては、扱室の上方を覆う上部カバーの開放操作を補助すべく、扱室の後端に形成された排稈口の外側寄りに１本のガススプリングを配置した脱穀装置が知られている（例えば、特許文献１参照）。
【０００３】
また、扱室の一部を形成すると共に扱胴を支持する上部構造体の開放操作を補助すべく、上部構造体と機体側の主構造体との前後側板に亘って夫々ガススプリング（２本）を取り付け、更に主構造体の後側板に上部構造体を開閉操作するアクチュエータを備える駆動機構を設けた脱穀装置が知られている（例えば、特許文献２参照）。
【特許文献１】特開平１１−３３２３５８号公報（第２−３頁、図２−図４）
【特許文献２】特開２００１−１９０１３６号公報（第３−４頁、図４−図７）
【発明の開示】
【発明が解決しようとする課題】
【０００４】
ところが、特許文献１のものでは、上部枠体と扱室後方の排藁搬送装置とを一体に開放できるように構成しようとすると、１本のガススプリングではアシスト力が不足し、また特許文献２のように、アクチュエータを設けることによって上部構造体（上部枠体）と排藁搬送装置とを一体に開放できるように構成することは、コスト高に繋がることから容易に採用することができなかった。
【０００５】
本発明は、上記課題を解決すべく、ガススプリングを効果的に配置することにより、簡潔且つ安価な構造で、上部枠体と扱室後方の排藁搬送装置とをバランスよく一体に開放できるようにしようとするものである。
【課題を解決するための手段】
【０００６】
本発明は、上記課題を解決することを目的としたものであって、扱室の上方を覆う上部枠体の開放操作を補助するガススプリングを備えたコンバインの脱穀装置において、少なくとも２本のガススプリングを近接位置で前後に併設したことを第１の特徴としている。
そして、前記２本のガススプリングを扱室の後部側に併設し、且つ扱室の前部側に１本のガススプリングを配置すると共に、扱室後方の排藁搬送装置が上部枠体と一体に開閉することを第２の特徴としている。
【発明の効果】
【０００７】
請求項１の発明によれば、扱室の上方を覆う上部枠体の開放操作を補助する少なくとも２本のガススプリングを近接位置で前後に併設したことによって、前記２本のガススプリングを併設するスペースが狭くても両ガススプリングのアシスト力を効率的に作用させることができる。
そして、請求項２の発明によれば、一体に開閉する排藁搬送装置と上部枠体の略重心部を扱室の後部側に併設した２本のガススプリングによりバランスよく支持することができるので、両者を一体に開閉する際のよじれ現象を軽減させることができる。
【発明を実施するための最良の形態】
【０００８】
以下、本発明の実施形態を図面に基づいて説明する。図１は、図示しないコンバインに搭載される脱穀装置１の側断面図であって、この脱穀装置１に構成される扱室２の前後方向に沿ってフィードチェン３を張架すると共に、該フィードチェン３の終端部に排藁搬送装置４を連設して、扱室２で脱穀した後の排藁を機体の後部に配設した排藁処理部（カッター）５へ搬送できるようになっている。
【０００９】
そして、脱穀装置１は、扱室２を構成する扱胴２ａ及び扱網２ｂの終端部穂先側に、処理胴６ａ及び処理網６ｂを内装した処理室６を併設している。また、扱室２の下方には、波板状の無孔移送板７ａ及び開度可変なチャフシーブ８、このチャフシーブ８の下方には、無孔移送板７ｂを配設し、該無孔移送板７ｂの終端部から後方に向けて濾過体９を張設すると共に、その下方に一番樋１０に一番物を流下させる一番流板１１を斜設し、該一番流板１１の後端部から後方に向けてストローラック１２を設け、更にその下方に二番樋１３に二番物を流下させる二番流板１４を斜設して、これらを一体的に枠組みした揺動選別体１５を構成している。尚、揺動選別体１５は、その前後を支持リンク１６と駆動リンク１７等で構成する揺動支持機構を備えると共に、脱穀装置１の側壁１ａ，１ａに着脱自在に支持されている。
【００１０】
そして、揺動選別体１５の下方には、送風ファン１８、一番流板１１等からなる選別風路１９を形成しており、揺動する揺動選別体１５に向く下方からの選別風Ａにより一番物を風選し、且つ選別風路１９の後方に配設した補助送風ファン２０から送風される選別風Ｂにより、ストローラック１２上の二番物を風選し、更に選別分離された後ストローラック１２から排出される夾雑物と処理室６から排出される夾雑物とを、横断流ファン２１を介して機体後方の排塵口２２から機外へ放出できるようになっている。尚、一番樋１０に落下した穀粒は、揚穀筒２３により穀粒タンクＴに揚上搬送され、また二番樋１３に落下した二番物は、二番還元筒２４を介して揺動選別体１５上に還元されるようになっている。
【００１１】
また、扱室２の上方は、図２及び図３に示すように、開閉自在な上部枠体３１によって覆われている。この上部枠体３１は、扱室２の処理室６側上部の機体前後方向に配設した回動支点軸３２に開閉自在に支持してあり、扱室２内の清掃や点検等を行う際に開放操作できるようになっている。更に詳しくは、回動支点軸３２に回動可能に支承した回動アーム３３，３４を上部枠体３１の前後の側板３５，３６に螺設することにより、当該上部枠体３１を図中に二点鎖線で示す如く開放できるようになっている。
【００１２】
尚、本実施形態の上部枠体３１は、フィードチェン３の上側に沿って配置される挟扼レール３７及び扱胴２ａを支持すると共に、排藁搬送装置４を構成する排藁搬送チェン３８及び排藁カバー３９と連結してあり、当該上部枠体３１の開き操作によって、扱胴２ａ、挟扼レール３７、排藁搬送チェン３８及び排藁カバー３９とを一体に上昇回動せることができるようになっている。
【００１３】
また、上部枠体３１と、脱穀装置１を構成する下部枠体（固定枠体）４１との間には、上部枠体３１を開放方向に付勢して該上部枠体３１の開放操作を補助する同一種類の３本のガススプリング４２を介装している。更に詳しくは、扱室２の前部側には、１本のガススプリング４２を、そのピストンロッドの先端部を下部枠体４１に回動自在に枢支すると共に、シリンダチューブの基端部を上部枠体３１の前側板３５に枢支している。一方、扱室２の後部側には、２本のガススプリング４２，４２を近接位置で前後に併設している。即ち、両ガススプリング４２，４２のピストンロッドの先端部を下部枠体４１に設けた共通の支軸４３を介して回動自在に枢支すると共に、両ガススプリング４２，４２のシリンダチューブの基端部を上部枠体３１の後側板３６に設けた共通の支軸４４を介して枢支している。
【００１４】
以上説明したように、扱室２の上方を覆う上部枠体３１の開放操作を補助する複数のガススプリングのうち、少なくとも２本のガススプリング４２，４２を扱室２の後部側に近接位置で前後に併設すれば、扱室後方の狭いスペースであっても、この狭いスペースを利用して両ガススプリング４２，４２のアシスト力を効率的に作用させることができる。そして、扱室２後方の排藁搬送装置４が上部枠体３１と一体に開閉すると共に、扱室２の前部側に１本のガススプリング４２を、また該ガススプリング４２と同一種類のガススプリング４２，４２本を扱室２の後部側に近接位置で前後に併設したことによって、一体に開閉する排藁搬送装置４と上部枠体３１の略重心部を両ガススプリング４２，４２によりバランスよく支持することができるので、当該排藁搬送装置４と上部枠体３１を一体に開閉する際のよじれ現象を軽減させることができる。そして、前記両ガススプリング４２，４２は、その取り付け構成を前後方向視で重合するように併設してあり、左右幅をとらないので扱室２で脱穀した後の排藁の搬送に悪影響を及ぼすことはない。
【００１５】
また、扱胴２ａの回転軸４５を軸支する上部枠体３１の後側板３６には、扱室２で脱穀した後の排藁が回転軸４５に巻き付くことを防止するために円形の巻き付き防止板４６を設けているが、この巻き付き防止板４６の外周と後側板３６との段差部Ｄ（図３参照）に排藁の穂先側が引っ掛かり易く、それにより排藁の搬送乱れが起こるので、その防止策として巻き付き防止板４６の当該段差部Ｄに対応する位置に、図４に示すようなＬ字状の排藁引っ掛かり防止プレート４７を固設している。尚、前記排藁引っ掛かり防止プレート４７は、上部枠体３１の前側板３５側に設けてもよい。
【００１６】
また、上部枠体３１の前後の側板３５，３６には、上部枠体３１の開放作動をロックするための開放ロック機構５１、５１´を夫々個別に設けている。例えば、上部枠体３１の後側板３６に設ける開放ロック機構５１´では、後側板３６に突設した支軸５２を介して揺動自在なロックプレート５３と、該ロックプレート５３に形成した係合溝（切欠き）５３ａが係止可能な下部枠体４１側に設けたロックピン５４と、上部枠体３１に支軸５５を介して揺動自在に支持したロック解除レバー５６等を備えており、該ロック解除レバー５６は、レバーガイド５７によってロック姿勢とロック解除姿勢とに揺動案内されるようになっている。
【００１７】
更に詳しくは、ロック解除レバー５６は、ロッド５８、揺動プレート５９、及びロッド６１を介してロックプレート５３と連結しており、当該ロック解除レバー５６をロック姿勢から持ち上げてロック解除姿勢に揺動操作することによって、前記ロックピン５４に係止するロックプレート５３の係止状態（ロック状態）を解除できるようになっている。即ち、上部枠体３１が全閉状態の時は、ロックプレート５３の係合溝５３ａをロックピン５４に係合することによって上部枠体３１の開放がロックされる。この状態で、ロック解除レバー５６を上方へ揺動操作すると、それに連動してロックプレート５３の係合溝５３ａがロックピン５４から外れ上部枠体３１の開き操作が許容されるようになっている。
【００１８】
ところで、図５は、上述した送風ファン１８の斜視図であって、当該送風ファン１８は、その回転軸６０に対して４枚の羽根６２ａを等角度で放射状に配設した２つのファンアッシイ６２，６２を回転軸６１の左右に螺設しているが、両ファンアッシイ６２，６２の４枚の羽根６２ａの位相をずらして回転軸６０に螺設することにより、両ファンアッシイ６２，６２の４枚の羽根６２ａの発音周期をずらしながら干渉騒音の低減を図っている。
【図面の簡単な説明】
【００１９】
【図１】脱穀装置の側断面図。
【図２】上部枠体を開閉した状態を示す脱穀装置の正面図。
【図３】上部枠体を開閉した状態を示す脱穀装置の背面図。
【図４】巻き付き防止板の外周と後側板との段差部を示す断面図。
【図５】送風ファンの斜視図。
【符号の説明】
【００２０】
２    扱室
４    排藁搬送装置
３１  上部枠体
４２  ガススプリング
【図１】
2008131906.tif 000003
【図２】
2008131906.tif 000004
【図３】
2008131906.tif 000005
【図４】
2008131906.tif 000006
【図５】
2008131906.tif 000007